(57)【要約】【課題】隣接する板状蓋片同士の連結箇所の保温性を向上させて、湯を溜めた浴槽に蓋をしている間の湯の冷めるのを従来の風呂蓋に比べて遅くすることができる断熱、保温効果に優れた風呂蓋を提供することにある。【解決手段】内部を中空、真空および真空断熱材等による断熱性を有する複数の板状蓋片２と、隣り合う上記の板状蓋片２を連結する連結部材３と、各板状蓋片２の開口端を覆うキャップ等からなり、各板状蓋片２は両側部に湾曲或いは凹凸等に形成した係合部１３を備え、上記の連結部材３は両側部に湾曲した係止部１９を備え、連結する一方の板状蓋片２の片側の係合部に連結部材３の一方の係止部１９を係止すると共に、他方の板状蓋片２の片側の係合部１３に連結部材２の他方の係止部１９を係止して、互いの板状蓋片２が近接または当接した状態に連結される。【選択図】  図１
2008036274.tif 000002
【特許請求の範囲】
【請求項１】
内部を中空、真空および真空断熱材を施した断熱性を有する複数の板状蓋片と、隣り合う上記の板状蓋片を連結する連結部材と、各板状蓋片の開口端を覆うキャップ等からなり、上記の複数の板状蓋片を互いに連結部材を介して並列に連結して浴槽の上部開口を覆うことができ、かつ巻いて畳むことができる浴槽蓋であって、
上記の板状蓋片は両側部に湾曲或いは凹凸等に形成した係合部を備え、上記の連結部材は両側部に湾曲した係止部を備え、連結する一方の板状蓋片の片側の係合部に連結部材の一方の係止部を係止すると共に、他方の板状蓋片の片側の係合部に連結部材の他方の係止部を係止して、互いの板状蓋片が近接または当接した状態に連結されてなることを特徴とする風呂蓋。
【請求項２】
内部を中空、真空および真空断熱材を施した断熱性を有する複数の板状蓋片と、隣り合う上記の板状蓋片を連結する連結部材と、各板状蓋片の開口端を覆うキャップ等とからなり、上記の複数の板状蓋片を互いに連結部材を介して並列に連結して浴槽の上部開口を覆うことができ、かつ巻いて畳むことができる浴槽蓋であって、
上記の板状蓋片は、一方の側部に係合用の凹部を形成と共に他方の側部に係合用の凸部を備え、かつ、両側部の凹部と凸部との中央線上に連結部材を挿入する開口を備え、隣接する一方の板状蓋片の凹部に他方の板状蓋片の凸部が係合でき、
上記の連結部材は、隣接する板状蓋片の対峙する凹部と凸部との開口に、連結部材の開口端側から挿入できる帯状であって、帯状の両側部に連結部材の側部内面に係止する抜け止め用の係止部を備え、
上記の連結部材を介して連結した互いの板状蓋片が近接または当接および離反でき、かつ、上記の近接または当接時に、隣接する一方の板状蓋片の凹部と他方の板状蓋片の凸部とが係合するようにしたことを特徴とする風呂蓋。
【請求項３】
板状蓋片は、仕切りによって内部を複数の空洞部に形成したことを特徴とする請求項１記載の風呂蓋。
【請求項４】
連結部材は、長手方向の両側部に板状蓋片を連結するための近接する湾曲した係止部を備えたことを特徴とする請求項１または３記載の風呂蓋。
【請求項５】
連結部材は、伸縮または蛇腹状に折り畳むことができることを特徴とする請求項１または３記載の風呂蓋。
【請求項６】
キャップは、板状蓋片の開口端の形状と同一またはほぼ同じ形状のキャップ本体と、板状蓋片の内部の空洞部に上記の開口端側から嵌合する嵌合凸部と、を備えていることを特徴とする請求項１、３または４記載の風呂蓋。
【発明の詳細な説明】
【技術分野】
【０００１】
本発明は浴槽の上部開口を覆うための風呂蓋に関し、断熱性能を高め、更に詳しくは巻いて畳めるようにしたシャッター式の風呂蓋に関するものである。
【背景技術】
【０００２】
一般に浴槽の上部開口を覆うための風呂蓋として、従来から各種のものが開発されている。特に巻いて畳むことができるシャッター式の風呂蓋が数多く製造・販売され、各家庭の浴槽に使用されている。
【０００３】
例えば、特許文献1や特許文献２に開示のようなシャッター式の風呂蓋や、図２１に示すようなシャッター式の風呂蓋１０１は、複数個並列に配設された硬質樹脂製の中空板状部材１０２と、これらの隣接する中空板状部材１０２同士を連結する帯状の軟質ジョイント１０３と、各中空板状部材１０２の開口端１０４（図は片側を示す）を閉鎖するキャップ１０５とによって構成されている。また、上記の中空板状部材１０２には保温効果を高めるために空気を封じ込める空洞部(空気層)１０６が内部に形成されている。軟質ジョイント１０３は柔軟性を有して撓むことができるため、このタイプの風呂蓋１０１は巻いて畳むことができる。
【０００４】
ところが従来のシャッター式の風呂蓋１０１において、中空板状部材１０２は空洞部(空気層)１０６を備えているので保温効果を発揮することはできるが、中空板状部材１０２同士を連結する軟質ジョイント１０３は中空板状部材１０２のような空洞部(空気層)１０６を有さない構造であり、軟質樹脂材で薄く形成されたものであるので、この箇所における保温性は中空板状部材１０２の箇所に比べ明らかに劣る。そのため、湯を溜めた浴槽の上部開口を風呂蓋１０１で覆った場合、各中空板状部材１０２間の軟質ジョイント１０３の箇所から熱が逃げてしまい、湯が早く冷める要因になっていた。
【０００５】
また、特許文献３に示すような浴槽蓋は、隣接する硬質プラスチック製中空状板部材（中空板状部材）同士を薄い軟質プラスチック製連結部材(連結部材)で連結した構造のものであるが、この浴槽蓋も上記した例と同様の要因を有し、尚且つ、この連結部材は隣接する中空板状部材の側部に動かないようにはめ込み固定された構造であるため、中空板状部材同士を接近させたり接合させたりすることができず、薄い連結部材を配した中空板状部材間から熱が逃げてしまうのを防ぐことができなかった。
【０００６】
【特許文献１】特開２００6−６１２２８号公報
【特許文献２】特開２００３−１６４３８３号公報
【特許文献３】特開２００３−２７５１１６号公報
【発明の開示】
【発明が解決しようとする課題】
【０００７】
本発明は上記のような点に鑑みて開発されたものである。本発明の目的とするところは、
隣接する板状蓋片同士の連結箇所の保温性を向上させて、湯を溜めた浴槽に蓋をしている間の湯の冷めるのを従来の風呂蓋に比べて遅くすることができる断熱、保温効果に優れた風呂蓋を提供することにある。
【課題を解決するための手段】
【０００８】
本発明は課題を解決して上記した目的を有効に達成するために、次のような構成の浴槽蓋を開発した。すなわち、請求項１に記載の本発明は、内部を中空、真空および真空断熱材を施した断熱性を有する複数の板状蓋片と、隣り合う上記の板状蓋片を連結する連結部材と、各板状蓋片の開口端を覆うキャップ等からなり、上記の複数の板状蓋片を互いに連結部材を介して並列に連結して浴槽の上部開口を覆うことができ、かつ巻いて畳むことができる浴槽蓋であって、上記の板状蓋片は両側部に湾曲或いは凹凸等に形成した係合部を備え、上記の連結部材は両側部に湾曲した係止部を備え、連結する一方の板状蓋片の片側の係合部に連結部材の一方の係止部を係止すると共に、他方の板状蓋片の片側の係合部に連結部材の他方の係止部を係止して、互いの板状蓋片が近接または当接した状態に連結されてなることを特徴とする風呂蓋である。
【０００９】
請求項２に記載の本発明は、内部を中空、真空および真空断熱材を施した断熱性を有する複数の板状蓋片と、隣り合う上記の板状蓋片を連結する連結部材と、各板状蓋片の開口端を覆うキャップ等とからなり、上記の複数の板状蓋片を互いに連結部材を介して並列に連結して浴槽の上部開口を覆うことができ、かつ巻いて畳むことができる浴槽蓋であって、上記の板状蓋片は、一方の側部に係合用の凹部を形成と共に他方の側部に係合用の凸部を備え、かつ、両側部の凹部と凸部とに連結部材を挿入する開口を備え、隣接する一方の板状蓋片の凹部に他方の板状蓋片の凸部が係合でき、上記の連結部材は、隣接する板状蓋片の対峙する凹部と凸部との開口に、連結部材の開口端側から挿入し成形できる帯状であって、帯状の両側部に連結部材の側部内面に係止する抜け止め用の係止部を備え、上記の連結部材を介して連結した互いの板状蓋片が近接または当接および離反でき、かつ、上記の近接または当接時に、隣接する一方の板状蓋片の凹部と他方の板状蓋片の凸部とが係合するようにしたことを特徴とする風呂蓋である。
【００１０】
請求項３に記載の本発明は、板状蓋片は、仕切りによって内部を複数の空洞部に形成したことを特徴とする請求項１記載の風呂蓋である。
【００１１】
請求項４に記載の本発明は、連結部材は、長手方向の両側部に板状蓋片を連結するための近接する湾曲した係止部を備えたことを特徴とする請求項１または３記載の風呂蓋である。
【００１２】
請求項５に記載の本発明は、連結部材が、伸縮または蛇腹状に折り畳むことができることを特徴とする請求項１または３記載の風呂蓋である。
【００１３】
請求項６に記載の本発明は、キャップは、板状蓋片の開口端の形状と同一またはほぼ同じ形状のキャップ本体と、板状蓋片の内部の空洞部に上記の開口端側から嵌合する嵌合凸部と、を備えていることを特徴とする請求項１、３または４記載の風呂蓋である。
【発明の効果】
【００１４】
請求項１に記載の本発明の風呂蓋では、隣接する一方の板状蓋片の片側の係合部に連結部材の一方の係止部を係止すると共に、他方の板状蓋片の片側の係合部に連結部材の他方の係止部を係止して、互いの板状蓋片が近接または当接した状態に連結できるので、連結する連結部材間の隙間を極力小さくしたり或いは無くしたりできて、板状蓋片の内部の断熱・保温効果と相まって、湯温の低下を極力抑えることができる。そのため長時間湯温が冷めにくく追い炊きを行う場合にもあまり長い時間追い炊きすることもなく、燃料費や電気代を低減することができる。また、この風呂蓋では、連結部材を介して連結された互いの板状蓋片は、一方の板状蓋片(または両方の板状蓋片)を連結部材を介して回転方向に動かすことにより、他方の板状蓋片の係合部内で連結部材の係止部が回転方向に移動して上記の一方の板状蓋片を回転方向に移動させることができる。そのため風呂蓋全体として巻くようにして容易に畳むことができる。
【００１５】
また、請求項２に記載の本発明の風呂蓋では、浴槽の上部開口を覆う場合に、隣接する互いの板状蓋片を近接させることによって一方の板状蓋片の凹部に他方の板状蓋片の凸部が係合し、かつ連結部材は板状蓋片同士を連結した状態で各板状蓋片内に収納されて板状蓋片間には殆ど隙間が生じないため、板状蓋片の内部の断熱部の保温効果と相まって、湯温の低下を極力抑えることができる。そのため、追い炊きを行う場合にもあまり長い時間追い炊きすることもなく、燃料費や電気代を低減することができる。また、この風呂蓋では、凹部と凸部の係合した隣り同士の板状蓋片を離すことにより、隣接する板状蓋片間に連結部材が現われ、この連結部材は軟質で撓むので、撓む連結部材を介して各板状蓋片を巻くようにして容易に畳むことができる。
【００１６】
また、請求項３に記載の本発明の風呂蓋では、板状蓋片は仕切りによって内部を複数の空洞部に形成したことにより、空洞部内に閉じ込められている空気の広い範囲での対流を防止できて、昇温した空気の温度低下を抑え、保温効果をより効果的に奏することができる。
【００１７】
また、請求項４に記載の本発明の風呂蓋では、連結部材が長手方向の両側部に板状蓋片を連結するための近接する湾曲した係止部を備えているので、連結部材の両側の係止部を、連結する各板状蓋片の係合部に連結することにより、板状蓋片間にあまり隙間が生じないように連結でき、各板状蓋片を連結する連結部材の箇所からの湯温の低下を極力防止しすることができる。
【００１８】
また、請求項５に記載の本発明の風呂蓋では、連結部材が伸縮または蛇腹状に折り畳むことができるため簡単に巻いて畳むことができる。
【００１９】
また、請求項６に記載の本発明の風呂蓋では、キャップが上記したキャップ本体と嵌合凸部とを備えているので、板状蓋片の内部の空洞部に開口端側から嵌合凸部をはめ込むことにより、簡単にかつ確実に開口した板状蓋片の開口端をキャップ本体で閉鎖することができる。そのため、板状蓋片の内部の空洞部内に湯で昇温された空気を溜めることができて、風呂蓋は効果的に保温効果を奏することができる。
【発明を実施するための最良の形態】
【００２０】
以下、本発明を実施するための最良の形態を図に基いて説明する。
図１〜図８は本発明にかかる第１実施例の風呂蓋に関する図であって、図１は第１実施例の風呂蓋の斜視図、図２は板状蓋片の斜視図、図３は連結部材の斜視図、図４はキャップの斜視図、図５は風呂蓋の一部の縦断面図、図６は風呂蓋を巻いて畳んだ状態の断面を示す説明図、図７は使用状態の説明図、図８は図７の縦断面図である。
【００２１】
この例の風呂蓋１は、内部を中空にした複数の板状蓋片２と、複数の連結部材３と、複数のキャップ４とによって構成され、これらの各部品はプラスチック樹脂によって形成されたものである。なお、板状蓋片は内部を真空および真空断熱材を施した断熱性を有する構成にしたものであってもよい。
【００２２】
すなわち、板状蓋片２(図２)は、大きさとして風呂５(図７、図８)の上部開口６の縁部７に掛け渡すことができる位の長さである。また、空洞部９ａ、９ｂ、９ｃを形成した板状蓋片２の上面１１は３つの円弧が連なった形状に形成され、下面１２はほぼ平坦に形成してある。
【００２３】
また、この板状蓋片２の両側部１０は、上面１１寄りの部分を図示のように板状蓋片２の開口端１４側から見た場合、少し渦の巻いたような湾曲状に形成して後述する連結部材３(図３)の係止部１９を着脱自在に係止できる係合部１３としてある。この係合部１３は板状蓋片２の両側部１０の長さ方向に沿って形成してある。係合部１３の先端１３ａの下方には、上記の係合部１３の円筒状の空間部１６に通じる導入開口１７が形成してある。また、係合部１３を形成した両側部１０の下部側は下面１２を形成する底部１５と繋がるようにして一体形成してある。係合部１３の外側面１３ｂと、底部１５と繋がる下部寄りの外側面１８とは、ほぼ面一に形成してある。さらに、底部１５の両側には開口端１４側から見た場合に少し下方に突出するように円弧に形成した凸部１５ａが長手方向に沿って形成してある。この各凸部１５ａの下面には、プラスチック製の帯状の滑り止め板３０を設けてある。なお、板状蓋片２の両側部１０の係合部は凹凸やフック状に形成した構成であってもよい。
【００２４】
次に連結部材３(図３)は、上記した板状蓋片２の長さと同一またはほぼ同じ長さであって、両側を隣接させた上記の板状蓋片２の各係合部１３の空間部１６に係止できるように湾曲形成して係止部１９としてある。また、連結部材３の中央部には、凸部２０が連結部材３の一端から他端までの長手方向に形成して厚さを厚くしてある。この連結部材３は、並列に配した隣接する各板状蓋片２(図２)の開口端１４側から係止部１９を、各板状蓋片２の係合部１３の空間部１６に挿入して板状蓋片２の側部１０に係止させ、互いの板状蓋片２を連結する。
なお、連結部材３は、図示省略するが伸縮性のある材質の部材や蛇腹状（アコーデオン状）に形成した部材によって形成したものであってもよい。
【００２５】
次にキャップ４(図４Ａ，Ｂ)は、板状蓋片２（図１、図２）の両端の開口端１４を閉鎖するものであって、板状蓋片２の開口端１４の形状と同一またはほぼ同じ形状のキャップ本体２１と、板状蓋片２の両側の空洞部９ａ、９ｃに嵌合する２つの嵌合凸部２２とを一体形成したものであり、各嵌合凸部２２の上下面と外側面には板状蓋片２の両側の空洞部９ａ、９ｃの内面に当接するリブ２３を備えている。このキャップ４を板状蓋片２の両端の開口端１４に取付けることによって上記開口端１４を閉鎖でき、空洞部９ａ、９ｂ、９ｃに空気を閉じ込めることができると共に湯の浸入を防止することができる。
【００２６】
上記した複数の板状蓋片２と連結部材３とキャップ４とによって第１実施例の風呂蓋１は形成されている。すなわち、各板状蓋片２の側部１０同士が隣接するように並列に配すると共に、隣接する各板状蓋片２の係合部１３に、連結部材１３の係止部１９を上記したようにして係止させ、それぞれの隣接する板状蓋片２を連結し、さらに、各板状蓋片２の開口端１４をキャップ４で閉鎖して風呂蓋１は形成されている。
【００２７】
このようにして形成された第１実施例の風呂蓋１では、隣接する板状蓋片２同士が近接または当接した状態で連結されるため、板状蓋片２間に隙間が極力生じないように（或いは生じないように）でき、かつ、板状蓋片２の空気の入った空洞部９ａ、９ｂ、９ｃとによって高い保温性を有することができる。そのため、この風呂蓋１で風呂５の上部開口６をふたすれば高い保温効果を保て、湯の冷めるのを遅くでき、追い炊き等によって湯を温める燃料費や電気代を節約することができる。
【００２８】
また、第１実施例の風呂蓋１を巻いて畳む場合(図６)は、連結部材３を介して連結された各板状蓋片２を巻くようにして移動させることにより、それぞれの板状蓋片２の係合部１３内で連結部材３の係止部１９が回転するように動き、あるいは屈曲、伸縮により、風呂蓋１全体を容易に巻いて畳むことができる。また、風呂蓋１を巻いて畳む場合には、互いの板状蓋片２の係合部１３に係止している連結部材３の係止部１９が板状蓋片２の係合部１３から外れる方向（導入開口１７方向）に回転移動するが、ある程度回転方向に移動した時に連結部材３の横断面山形状の凸部２０が板状蓋片２の側部１０の外面に当たる。そのため連結部材３はそれ以上回転移動できなくなり、連結部材３の係止部１９が板状蓋片２の係合部１３の導入開口１７から外れるのを防止でき、連結部材３を介した互いの板状蓋片２の連結状態を保持することができる。
【００２９】
図９（Ａ）、図１０は本発明にかかる第２実施例の風呂蓋１に関する図であり、図９は簡略化した第２実施例の風呂蓋１の端面側から見た説明図、図１０は簡略化した第２実施例の風呂蓋１の平面視した説明図である。
【００３０】
この第２実施例の風呂蓋１も、第１実施例と同様に、内部を中空にした複数の板状蓋片２と、複数の連結部材３と、複数のキャップ４とによって構成され、板状蓋片２とキャップ４は硬質のプラスチック樹脂によって形成され、連結部材３はプラスチック樹脂によって形成されている。
【００３１】
この第２実施例の各板状蓋片２は、円弧状に窪み形成された凹部２５を一方の側部２４に沿って形成され、円弧状に突出形成された凸部２７が他方の側部２６に沿って形成されている。なお、凹部２５および凸部２７の形状は、例えば円弧状に限らず互いに係合できれば三角形、四角形等の形状であってもよい。各板状蓋片２の両側部２４，２６はほぼ閉鎖形成され、中央線上に連結部材３を挿入する線状の開口２８が各側部２４，２６に沿って形成してある。板状蓋片２内は１つの空洞部または仕切りによって仕切られた複数の空洞部を有しており、第１実施例と同様に保温効果を上げるために空気を溜めることができるようにしてある。板状蓋片２の開口された両端は第１実施例と同様にキャップ４で閉鎖できるようにしてある。
【００３２】
この第２実施例の連結部材３は、上記した板状蓋片２の側部２４，２６の開口２８に、板状蓋片２の開口された端から挿入できる厚さの帯状のものであり、板状蓋片２の側部２４，２６に係合させた後は外れないように両側端部に横断面円形状の係止部２９を備えている。勿論、係止部２９の径は開口２８の上下幅よりも大であり、係止部２９は板状蓋片２の側部２４，２６の閉鎖された内面に係止する。連結部材３の幅は例えば１ｃｍ位である。
【００３３】
この第２実施例の風呂蓋１では、隣接する板状蓋片２同士は、一方の板状蓋片２の凹部２５と他方の板状蓋片２の凸部２７とが対峙するように並列に配されて、連結部材３で上記のように連結されている。隣接する一方の板状蓋片２の凹部２５には、他方の板状蓋片２の凸部２７が係合できる。
【００３４】
この第２実施例の風呂蓋１で風呂の上部開口を覆う場合は、隣接する一方の板状蓋片２の凹部２５と他方の板状蓋片２の凸部２７とを係合させて風呂の上部開口を覆うことにより、板状蓋片２間に殆ど隙間が生じなくなり、この箇所からの熱の逃げを抑制でき、各板状蓋片２の空気の入った空洞部と相まってより高い保温効果を奏することができる。
【００３５】
また、この風呂蓋１を風呂の上部開口から取り除く場合は、風呂蓋１を両側方向に引くことにより、各板状蓋片２内に収納されていた連結部材３が隣接する板状蓋片２間に現われて露出し、連結部材３は柔軟性を有して撓むので、各連結部材３を介して各板状蓋片２を巻くようにして畳むことができる。
【００３６】
図９（Ｂ）は上記した第２実施例の風呂蓋１において、連結部材３が蛇腹状（アコーデオン状）に形成されている風呂蓋１を示す。この風呂蓋１では連結部材３が蛇腹状（アコーデオン状）であるが故に、隣り合う板状蓋片２を離反させたり近接させたりすることによって伸縮し、板状蓋片２間を縮めたり離したりすることができる。その他の構成、作用効果は上記した第２実施例の風呂蓋１と同様であり、同一箇所に同一符号を付して説明を省略する。
【００３７】
図１１〜図１４は本発明にかかる第３実施例の風呂蓋１に関する図であり、図１１は本発明にかかる第３実施例の板状蓋片の斜視図、図１２は本発明にかかる第３実施例の連結部材の斜視図、図１３は第３実施例のキャップの斜視図、図１４は簡略化した第３実施例の風呂蓋１の端面側から見た説明図、図１５は第３実施例の風呂蓋を巻いて畳んだ状態の断面を示す説明図である。
【００３８】
この例の第３実施例の風呂蓋１も、先に説明した実施例と同様に、内部を中空にした複数の板状蓋片２と、複数の連結部材３と、複数のキャップ４とによって構成され、これらの各部品はプラスチック樹脂によって形成されたものである。
【００３９】
板状蓋片２(図１１)は、仕切り８を介して内部を２分割にした空洞部９ａ、９ｂを有し、上面１１及び下面１２を平坦に形成してある。全体の大きさは先に説明した実施例と同様である。また、この板状蓋片２の両側部１０は、凹凸形成の一例である長手方向に横向きＴ字状の溝孔を形成して後述する連結部材３(図１２)の係止部１９を着脱自在に係止できる係合部１３としてある。１７は導入開口である。
【００４０】
この例の連結部材３(図１２)は、上記した板状蓋片２の長さと同一またはほぼ同じ長さであって、横断面Ｈ字状で、両側を隣接させた上記の各板状蓋片２の係合部１３に係止できるように両側部を横向きＴ字状に形成して係止部１９としてある。また、この連結部材３は伸縮性のある材質の部材によって形成されている。なお、連結部材３は蛇腹状（アコーデオン状）に形成したものであってもよい。
【００４１】
この例のキャップ４(図１３Ａ，Ｂ)は、板状蓋片２（図１１、図１４）の両端の開口端１４を閉鎖するものであって、板状蓋片２の開口端１４の形状と同一またはほぼ同じ形状のキャップ本体２１と、板状蓋片２の両側の空洞部９ａ、９ｂに嵌合する２つの嵌合凸部２２とを一体形成したものである。機能は先に説明した第１実施例、第１実施例と同様である。
【００４２】
この第３実施例の風呂蓋１は、各板状蓋片２の側部１０同士が隣接するように並列に配すると共に、隣接する各板状蓋片２の係合部１３に、連結部材１３の係止部１９を端からはめ込んで係止させて、それぞれの隣接する板状蓋片２を連結し、さらに、各板状蓋片２の開口端１４をキャップ４で閉鎖したものである。
【００４３】
このようにして構成された第３実施例の風呂蓋１では、隣接する板状蓋片２同士が近接または当接した状態で連結されるため、板状蓋片２間に隙間が極力生じないように（或いは生じないように）でき、高い保温効果を保て、湯の冷めるのを遅くでき、追い炊き等によって湯を温める燃料費や電気代を節約することができる。
【００４４】
また、第３実施例の風呂蓋１を巻いて畳む場合(図１５)は、連結部材３を介して連結された各板状蓋片２を巻くようにして移動させることにより、連結部材３が伸びたり屈曲したりして風呂蓋１全体を容易に畳むことができる。
【００４５】
図１６〜図１９は本発明にかかる第４実施例の風呂蓋１に関する図であり、図１６は本発明にかかる第４実施例の板状蓋片の斜視図、図１７は本発明にかかる第４実施例の連結部材の斜視図、図１８は第４実施例のキャップの斜視図、図１９は簡略化した第４実施例の風呂蓋１の端面側から見た説明図である。
【００４６】
この例の第４実施例の風呂蓋１も、先に説明した各実施例と同様に、内部を中空にした複数の板状蓋片２と、複数の連結部材３と、複数のキャップ４とによって構成されている。なお、この第４実施例は上記した第３実施例と略同じであり、第３実施例と相違する構成箇所についてのみ説明し、その他の構成については第３実施例と同一符号を付して説明を省略する。
【００４７】
この第４実施例の板状蓋片２(図１６)の両側部１０は、凹凸形成の一例である長手方向に横向きＹ字状の溝孔を形成して後述する連結部材３(図１７)の係止部１９を着脱自在に係止できる係合部１３としてある。１７は導入開口である。
【００４８】
また、連結部材３(図１７)は、両側を隣接させた上記の各板状蓋片２の係合部１３に係止できるように両側部を横向きＹ字状に形成して係止部１９としてある。この連結部材３も伸縮性のある材質の部材によって形成されている。なお、この連結部材３も蛇腹状（アコーデオン状）に形成したものであってもよい。
【００４９】
この第４実施例の風呂蓋１も、隣接する板状蓋片２同士が近接または当接した状態で連結されるため、板状蓋片２間に隙間が極力生じないように（或いは生じないように）でき、高い保温効果を保て、湯の冷めるのを遅くでき、追い炊き等によって湯を温める燃料費や電気代を節約することができる。
【００５０】
図２０は本発明にかかる第５実施例の風呂蓋に関する図であり、（Ａ）は隣り合う板状蓋片２が連結部材３を介して離れている状態の説明図、（Ｂ）は隣り合う板状蓋片２が連結部材３を介して隣接している状態の説明図である。
【００５１】
この第５実施例の風呂蓋１においては、板状蓋片２の一方の側部に凸部３０を形成するとともに、他方の側部に凹部３１を形成してある。隣り合う板状蓋片２の凸部３は、他方の板状蓋片２の凹部３１と係合できるようにしてある。また、各板状蓋片２の両側部の凸部３と凹部３１の箇所には、伸縮性のある材料によって形成された帯状の連結部材３を端から挿入できるように連結部材３と略同じ厚さの溝３２が形成してある。溝３２の奥側は円形状に形成してある。また、帯状の連結部材３の両側部の長手方向には、板状蓋片２の溝３２の奥側の円形部分に係合できるように円形係止部３３が形成してある。隣り合う互いの板状蓋片２は、連結部材３を隣り合う板状蓋片２の凸部３と凹部３１の溝３２に端から挿入することにより連結される。
【００５２】
このように伸縮性のある各連結部材３を介して連結された複数の板状蓋片２によって第５実施例の風呂蓋１は構成され（勿論、図示省略するが各板状蓋片２の両端部にキャップを設けた構成のものであってもよい。）、この風呂蓋１で浴槽に蓋をする場合は、隣り合う互いの板状蓋片２の凸部３と凹部３１とを係合させて蓋をすれば（図２０（Ｂ））、各板状蓋片２間からの湯の熱漏れも少なく、高い保温効果を保て、湯の冷めるのを遅くでき、追い炊き等によって湯を温める燃料費や電気代を節約することができる。
【００５３】
また、この第５実施例の風呂蓋１を巻くようにして畳む場合は、隣り合う互いの板状蓋片２を伸縮性のある連結部材３を介して離し（図２０（Ａ））、この伸ばした状態の各連結部材３の箇所から屈曲するようにして各板状蓋片２を畳めば簡単に風呂蓋１を丸めて畳むことができる。
【００５４】
なお、本発明の浴槽蓋においては、板状蓋片の両側部に形成する凹部または凸部の係合部、並びにこの板状蓋片の係合部に係合する連結部材３の両側部の凸部または凹部の係止部の形状は、図示の例に限らず他の形状にするも自由である。また、上記した各実施例において板状蓋片は、内部を真空および真空断熱材を施した断熱性を有する構成にしたものであってもよい。板状蓋片の内部を真空にする場合は、板状蓋片の両端を塞ぐキャップとの密閉を確実なものにすればよい。
【図面の簡単な説明】
【００５５】
【図１】本発明にかかる第１実施例の風呂蓋の斜視図である。
【図２】本発明にかかる板状蓋片の斜視図である。
【図３】本発明にかかる連結部材の斜視図である。
【図４】（Ａ）（Ｂ）は本発明にかかるキャップの斜視図である。
【図５】本発明にかかる風呂蓋の一部の縦断面図である。
【図６】本発明にかかる第１実施例の風呂蓋を巻いて畳んだ状態の断面を示す説明図である。
【図７】本発明にかかる第１実施例の風呂蓋の使用状態の説明図である。
【図８】図７の縦断面図である。
【図９】（Ａ）は本発明にかかる第２実施例の風呂蓋の説明図であり、（Ｂ）は第２実施例と連結部材が相違する風呂蓋の説明図である。
【図１０】本発明にかかる第２実施例の風呂蓋の平面視した説明図である。
【図１１】本発明にかかる第３実施例の板状蓋片の斜視図である。
【図１２】本発明にかかる第３実施例の連結部材の斜視図である。
【図１３】（Ａ）（Ｂ）は本発明にかかる第３実施例のキャップの斜視図である。
【図１４】簡略化した第３実施例の風呂蓋１の端面側から見た説明図である。
【図１５】第３実施例の風呂蓋を巻いて畳んだ状態の断面を示す説明図である。
【図１６】本発明にかかる第４実施例の板状蓋片の斜視図である。
【図１７】本発明にかかる第４実施例の連結部材の斜視図である。
【図１８】（Ａ）（Ｂ）は本発明にかかる第４実施例のキャップの斜視図である。
【図１９】簡略化した第４実施例の風呂蓋１の端面側から見た説明図である。
【図２０】本発明にかかる第５実施例の風呂蓋に関する図であり、（Ａ）は隣り合う板状蓋片２が連結部材３を介して離れている状態の説明図、（Ｂ）は隣り合う板状蓋片２が連結部材３を介して隣接している状態の説明図である。
【図２１】従来の風呂蓋の一部を示す断面図である。
【符号の説明】
【００５６】
１      浴槽蓋
２      板状蓋片
３      連結部材
４      キャップ
８      仕切り
９      空洞部
１３    係合部
１４    開口端
１９    係止部
２５    凹部
２７    凸部
【図１】
2008036274.tif 000003
【図２】
2008036274.tif 000004
【図３】
2008036274.tif 000005
【図４】
2008036274.tif 000006
【図５】
2008036274.tif 000007
【図６】
2008036274.tif 000008
【図７】
2008036274.tif 000009
【図８】
2008036274.tif 000010
【図９】
2008036274.tif 000011
【図１０】
2008036274.tif 000012
【図１１】
2008036274.tif 000013
【図１２】
2008036274.tif 000014
【図１３】
2008036274.tif 000015
【図１４】
2008036274.tif 000016
【図１５】
2008036274.tif 000017
【図１６】
2008036274.tif 000018
【図１７】
2008036274.tif 000019
【図１８】
2008036274.tif 000020
【図１９】
2008036274.tif 000021
【図２０】
2008036274.tif 000022
【図２１】
2008036274.tif 000023